(57)【要約】      （修正有）【課題】カシメを取り付けることができるとともに、基材を傷つけることなくカシメを容易に取り外すことができるカシメ着脱具を提供する。【解決手段】第１ハンドル１１および第２ハンドル１２は、支軸１６により互いに回動可能である。第１ハンドル１１は、支軸１６の一端側に第１作用部３１を有し、他端側に第１把持部３２を有する。第２ハンドル１２は、支軸１６の一端側に第２作用部３６を有し、他端側に第２把持部３７を有する。第２作用部３６は、カシメの頭の径よりも大きい貫通孔３８を有する。頭用台座１３が第１作用部３１に着脱可能に設けられ、足用台座１４が第２作用部３６に着脱可能に設けられる。取り外し部材は、第１作用部３１に着脱可能に設けられ、カシメの足の穴に挿入して貫通可能な突出部が、貫通孔３８に挿入される。【選択図】図１
0003159220.tif 000002
【実用新案登録請求の範囲】
【請求項１】
第１ハンドルと第２ハンドルと頭用台座と足用台座と取り外し部材とを有し、
前記第１ハンドルおよび前記第２ハンドルは、支軸により互いに回動可能に取り付けられており、
前記第１ハンドルは前記支軸の一端側に第１作用部を有し、前記支軸の他端側に第１把持部を有し、
前記第２ハンドルは前記支軸の一端側に第２作用部を有し、前記支軸の他端側に第２把持部を有し、前記第２作用部はカシメの頭の径よりも大きい貫通孔を有し、
前記頭用台座はカシメの頭を保持する頭保持面を有し、前記第１作用部および前記第２作用部の一方に着脱可能に設けられ、
前記足用台座はカシメの足を保持する足保持面を有し、前記第１把持部と前記第２把持部とを閉じたとき、前記足保持面が前記頭保持面と合わさるよう、前記第１作用部および前記第２作用部の他方に着脱可能に設けられ、
前記取り外し部材はカシメの足の穴に挿入して貫通可能な棒状の突出部を有し、前記第１作用部に前記頭用台座または前記足用台座と交換して着脱可能に設けられ、前記第２作用部から前記足用台座または前記頭用台座を取り外して前記第１把持部と前記第２把持部とを閉じたとき、前記突出部が前記貫通孔に挿入されるよう構成されていることを、
特徴とするカシメ着脱具。
【請求項２】
前記第１把持部および前記第２把持部の少なくとも一方に、前記頭用台座、前記足用台座および前記取り外し部材を収納可能な収納部を有することを、特徴とする請求項１記載のカシメ着脱具。
【考案の詳細な説明】
【技術分野】
【０００１】
本考案は、カシメ着脱具に関する。
【背景技術】
【０００２】
従来のカシメ工具として、一対の狭持杆を少なくとも先端側が開閉自在となるように連結して本体が構成され、上下一組のプレス駒が互いに対向した状態で別々の狭持杆の先端部に取り付けられており、カシメを一組のプレス駒で加圧することにより布材等に固定するものがある（例えば、特許文献１参照）。
【先行技術文献】
【特許文献】
【０００３】
【特許文献１】実用新案登録第３１０７２４５号公報
【考案の概要】
【考案が解決しようとする課題】
【０００４】
特許文献１に記載のカシメ工具は、カシメを取り付けることはできるが、取り外すことはできないという課題があった。このため、カシメを交換する場合等には、従来、ペンチやニッパー等を用いてカシメを取り外していた。しかし、ペンチやニッパー等を使用してカシメを取り外す場合、労力を要するとともに、基材を傷つけないようきれいに取り外すのが困難であるという課題があった。
【０００５】
本考案は、このような課題に着目してなされたもので、カシメを取り付けることができるとともに、基材を傷つけることなくカシメを容易に取り外すことができるカシメ着脱具を提供することを目的とする。
【課題を解決するための手段】
【０００６】
上記目的を達成するために、本考案に係るカシメ着脱具は、第１ハンドルと第２ハンドルと頭用台座と足用台座と取り外し部材とを有し、前記第１ハンドルおよび前記第２ハンドルは、支軸により互いに回動可能に取り付けられており、前記第１ハンドルは前記支軸の一端側に第１作用部を有し、前記支軸の他端側に第１把持部を有し、前記第２ハンドルは前記支軸の一端側に第２作用部を有し、前記支軸の他端側に第２把持部を有し、前記第２作用部はカシメの頭の径よりも大きい貫通孔を有し、前記頭用台座はカシメの頭を保持する頭保持面を有し、前記第１作用部および前記第２作用部の一方に着脱可能に設けられ、前記足用台座はカシメの足を保持する足保持面を有し、前記第１把持部と前記第２把持部とを閉じたとき、前記足保持面が前記頭保持面と合わさるよう、前記第１作用部および前記第２作用部の他方に着脱可能に設けられ、前記取り外し部材はカシメの足の穴に挿入して貫通可能な棒状の突出部を有し、前記第１作用部に前記頭用台座または前記足用台座と交換して着脱可能に設けられ、前記第２作用部から前記足用台座または前記頭用台座を取り外して前記第１把持部と前記第２把持部とを閉じたとき、前記突出部が前記貫通孔に挿入されるよう構成されていることを、特徴とする。
【０００７】
本考案に係るカシメ着脱具は、以下のようにして使用される。まず、カシメを取り付けるとき、第１作用部および第２作用部の一方に頭用台座を取り付け、その他方に足用台座を取り付ける。布等の基材を挟むようにしてカシメの頭と足とを配置し、頭用台座の頭保持面でカシメの頭を保持し、足用台座の足保持面でカシメの足を保持した状態で、第１把持部と第２把持部とを閉じる。これにより、第１ハンドルおよび第２ハンドルが支軸を中心にして互いに回動し、第１作用部と第２作用部とが閉じる方向に動く。このとき、足保持面が頭保持面と合わさるよう構成されているため、カシメの頭と足とを挟んで加圧し、カシメを基材に取り付けることができる。
【０００８】
次に、カシメを取り外すとき、第１作用部の頭用台座または足用台座を取り外して、取り外し部材と交換し、第２作用部の足用台座または頭用台座を取り外す。貫通孔の周縁でカシメの頭を囲うよう第２作用部を配置し、カシメの足の側に取り外し部材を配置する。取り外し部材の突出部をカシメの足の穴に挿入するようにして、第１把持部と第２把持部とを閉じる。これにより、第１ハンドルおよび第２ハンドルが支軸を中心にして互いに回動し、第１作用部と第２作用部とが閉じる方向に動く。このとき、貫通孔の周縁でカシメの頭の周囲の基材を保持し、突出部がカシメの足の穴を貫通するため、カシメの足が基材に保持された状態で、突出部の先端でカシメの頭を貫通孔の内部に押し出す。これにより、カシメの頭と足とを分離して、カシメを基材から取り外すことができる。
【０００９】
このように、本考案に係るカシメ着脱具は、ペンチやニッパー等を使用するときのように無理やりカシメを取り外して基材を傷つけることなく、カシメを容易に取り外すことができる。本考案に係るカシメ着脱具は、テコの原理を利用して小さい力でも容易にカシメを取り付けたり取り外したりすることができる。
【００１０】
本考案に係るカシメ着脱具は、前記第１把持部および前記第２把持部の少なくとも一方に、前記頭用台座、前記足用台座および前記取り外し部材を収納可能な収納部を有することが好ましい。この場合、頭用台座、足用台座および取り外し部材のうち使用しない部材を収納部に収納しておくことにより、その部材が紛失するのを防止することができる。
【考案の効果】
【００１１】
本考案によれば、カシメを取り付けることができるとともに、基材を傷つけることなくカシメを容易に取り外すことができるカシメ着脱具を提供することができる。
【図面の簡単な説明】
【００１２】
【図１】本考案の実施の形態のカシメ着脱具を示す、第１ハンドルおよび第２ハンドルを開いた状態の正面図である。
【図２】図１に示すカシメ着脱具の、第１ハンドルおよび第２ハンドルを閉じた状態の正面図である。
【図３】図１に示すカシメ着脱具の、カシメを取り外すときの（ａ）第１ハンドルおよび第２ハンドルを開いた状態の第１作用部および第２作用部の拡大正面図、（ｂ）第１ハンドルおよび第２ハンドルを閉じた状態の第１作用部および第２作用部の拡大正面図である。
【図４】（ａ）カシメの正面図、（ｂ）カシメを取り付けた状態の平面図、（ｃ）カシメを取り付けた状態の底面図である。
【考案を実施するための形態】
【００１３】
以下、図面に基づき本考案の実施の形態について説明する。
図１乃至図４は、本考案の実施の形態のカシメ着脱具を有している。
図１乃至図３に示すように、カシメ着脱具１０は、第１ハンドル１１と第２ハンドル１２と頭用台座１３と足用台座１４と取り外し部材１５とを有している。
【００１４】
図１および図２に示すように、第１ハンドル１１は、細長い第１丸棒材２１と、第１丸棒材２１の中央部に回転可能に設けられ、ややＳ字状に湾曲した細長い第１基材２２とを有している。第２ハンドル１２は、細長い第２丸棒材２３と、第１丸棒材２１の中央部に回転可能に設けられ、ややＳ字状に湾曲した細長い第２基材２４とを有している。第１ハンドル１１および第２ハンドル１２は、それぞれ第１基材２２の第１丸棒材２１の側の端部と、第２基材２４の第２丸棒材２３の側の端部とで互いに交差しており、その交差位置に設けられた支軸１６により互いに回動可能に取り付けられている。また、第１丸棒材２１および第２丸棒材２３は、末端部がそれぞれ支軸１６より末端側で第２基材２４および第１基材２２の内側に配置されている。これにより、第１ハンドル１１および第２ハンドル１２は、互いに回動させたとき、第１丸棒材２１および第２丸棒材２３が互いにほぼ平行な状態を保って、近づいたり離れたりするようになっている。
【００１５】
図１乃至図３に示すように、第１ハンドル１１は、支軸１６の一端側の、第１丸棒材２１の先端に第１作用部３１を有し、支軸１６の他端側の、第１基材２２の末端部に第１把持部３２を有している。第１作用部３１は、第１丸棒材２１の直径方向に伸びるよう設けられた取付孔（図示せず）と、第１丸棒材２１の先端面に取付孔まで貫通するよう設けられた着脱用ネジ３３とを有している。取付孔は、第２丸棒材２３に対向するよう設けられている。また、図１に示すように、第１ハンドル１１は、第１把持部３２の内部に、収納部３４を有している。第１ハンドル１１は、第１基材２２の末端面に収納部３４の開口を有し、その開口を開閉可能な蓋部材３５を有している。
【００１６】
図１乃至図３に示すように、第２ハンドル１２は、支軸１６の一端側の、第２丸棒材２３の先端に第２作用部３６を有し、支軸１６の他端側の、第２基材２４の末端部に第２把持部３７を有している。第２作用部３６は、第２丸棒材２３の直径方向に伸びるよう設けられた貫通孔３８を有している。貫通孔３８は、図４に示すカシメの頭５１の径よりも大きい径を有し、第１丸棒材２１に対向するよう設けられている。第１ハンドル１１および第２ハンドル１２は、第１把持部３２と第２把持部３７とを閉じたとき、第１作用部３１と第２作用部３６とが近づき、第１把持部３２と第２把持部３７とを開いたとき、第１作用部３１と第２作用部３６とが離れるよう構成されている。
【００１７】
図１および図２に示すように、頭用台座１３は、着脱用ネジ３３を締めたり緩めたりすることにより、第１作用部３１の取付孔に着脱可能に設けられている。頭用台座１３は、取付孔に取り付けられたとき、第２作用部３６に向かって突出し、その先端面に頭保持面１３ａを有している。頭保持面１３ａは、図４に示すカシメの頭５１を保持可能に、やや球面状に窪んだ形状を成している。
【００１８】
図１および図２に示すように、足用台座１４は、第２作用部３６の貫通孔３８に、第１作用部３１の側から着脱可能に設けられている。足用台座１４は、貫通孔３８に取り付けられたとき、第１作用部３１に向かって突出し、その先端面に足保持面１４ａを有している。足保持面１４ａは、図４に示すカシメの足５２を保持可能に、やや球面状に突出した形状を成している。図２に示すように、足用台座１４は、第１把持部３２と第２把持部３７とを閉じたとき、足保持面１４ａが頭保持面１３ａと合わさるようになっている。
なお、頭用台座１３が第２作用部３６の貫通孔３８に着脱可能に取り付けられ、足用台座１４が第１作用部３１の取付孔に着脱可能に取り付けられるようになっていてもよい。
【００１９】
図３に示すように、取り外し部材１５は、着脱用ネジ３３を締めたり緩めたりすることにより、第１作用部３１の取付孔に、頭用台座１３と交換して着脱可能に設けられている。取り外し部材１５は、取付孔に取り付けられたとき、第２作用部３６に向かって突出する棒状の突出部３９を有している。突出部３９は、図４に示すカシメの足５２の穴５２ａに挿入して貫通可能な太さおよび長さを有している。図３に示すように、取り外し部材１５は、足用台座１４を取り外して第１把持部３２と第２把持部３７とを閉じたとき、突出部３９が貫通孔３８に挿入されるよう構成されている。
カシメ着脱具１０は、頭用台座１３、足用台座１４および取り外し部材１５を収納部３４に収納可能になっている。
【００２０】
次に、作用について説明する。
カシメ着脱具１０は、以下のようにして使用される。まず、図４に示すカシメを取り付けるとき、第１作用部３１の取付孔に頭用台座１３を取り付け、第２作用部３６の貫通孔３８に足用台座１４を取り付ける。布等の基材５０を挟むようにしてカシメの頭５１と足とを配置し、頭用台座１３の頭保持面１３ａでカシメの頭５１を保持し、足用台座１４の足保持面１４ａでカシメの足５２を保持した状態で、第１把持部３２と第２把持部３７とを閉じる。これにより、第１ハンドル１１および第２ハンドル１２が支軸１６を中心にして互いに回動し、第１作用部３１と第２作用部３６とが閉じる方向に動く。このとき、足保持面１４ａが頭保持面１３ａと合わさるよう構成されているため、カシメの頭５１と足とを挟んで加圧し、図４（ｂ）および（ｃ）に示すように、カシメを基材５０に取り付けることができる。
【００２１】
次に、カシメを取り外すとき、第１作用部３１の頭用台座１３を取り外して、取り外し部材１５と交換し、第２作用部３６の足用台座１４を取り外す。貫通孔３８の周縁でカシメの頭５１を囲うよう第２作用部３６を配置し、カシメの足５２の側に取り外し部材１５を配置する。取り外し部材１５の突出部３９をカシメの足５２の穴５２ａに挿入するようにして、第１把持部３２と第２把持部３７とを閉じる。これにより、第１ハンドル１１および第２ハンドル１２が支軸１６を中心にして互いに回動し、第１作用部３１と第２作用部３６とが閉じる方向に動く。このとき、貫通孔３８の周縁でカシメの頭５１の周囲の基材５０を保持し、突出部３９がカシメの足５２の穴５２ａを貫通するため、カシメの足５２が基材５０に保持された状態で、突出部３９の先端でカシメの頭５１を貫通孔３８の内部に押し出す。これにより、カシメの頭５１とカシメの足５２とを分離して、カシメを基材５０から取り外すことができる。
【００２２】
このように、カシメ着脱具１０は、ペンチやニッパー等を使用するときのように無理やりカシメを取り外して基材５０を傷つけることなく、カシメを容易に取り外すことができる。カシメ着脱具１０は、テコの原理を利用して小さい力でも容易にカシメを取り付けたり取り外したりすることができる。頭用台座１３、足用台座１４および取り外し部材１５のうち使用しない部材を収納部３４に収納しておくことができ、その部材が紛失するのを防止することができる。
【００２３】
なお、図２に示すように、カシメ着脱具１０は、支軸１６よりやや他端側の位置に、第１ハンドル１１と第２ハンドル１２とを閉じた状態で連結可能に設けられた留め具４１を有していてもよい。この場合、留め具４１により第１ハンドル１１と第２ハンドル１２とを閉じた状態で連結することにより、最も小さくした状態に維持することができ、運搬や保管を容易にすることができる。
【符号の説明】
【００２４】
１０  カシメ着脱具
１１  第１ハンドル
１２  第２ハンドル
１３  頭用台座
１４  足用台座
１５  取り外し部材
１６  支軸
２１  第１丸棒材
２２  第１基材
２３  第２丸棒材
２４  第２基材
３１  第１作用部
３２  第１把持部
３３  着脱用ネジ
３４  収納部
３５  蓋部材
３６  第２作用部
３７  第２把持部
３８  貫通孔
３９  突出部
５０  基材
５１  カシメの頭
５２  カシメの足
【図１】
0003159220.tif 000003
【図２】
0003159220.tif 000004
【図３】
0003159220.tif 000005
【図４】
0003159220.tif 000006